(57)【要約】【課題】化粧品容器のボタンを押圧するだけで、ボタンの上部に設けられた吐出孔を介して内容物が定量噴射されるため、皮膚に直接使用することが可能なポンピング式化粧品容器の提供。【解決手段】本発明のポンピング式化粧品容器は、下部にスクレーパーが設置され、内容物が貯蔵される貯蔵容器と、前記貯蔵容器の上部に嵌挿され、中心部には垂直に貫設された挿入孔を有する固定具と、前記挿入孔に嵌挿され、上部には前記挿入孔の直径と同一またはそれより大きく設けられたストッパーを有するピストン棒と、前記挿入孔の直径と同一またはそれより大きく設けられて前記ピストン棒の下部に取り付けられ、下部には圧力によって内容物が流入するようにするチェックバルブを有するディスペンサーと、前記ピストン棒の上部に被せられ、内容物を排出するための吐出孔を有するキャップとを含んでなる。【選択図】図２
2011517588.tif 000002
【特許請求の範囲】
【請求項１】
下部にスクレーパー（１１０）が設置され、内容物が貯蔵される貯蔵容器（１００）と、
前記貯蔵容器の上部に嵌挿され、中心部には垂直に貫設された挿入孔（２１０）を有する固定具（２００）と、
前記挿入孔（２１０）に嵌挿され、上部には前記挿入孔（２１０）の直径と同一またはそれより大きく設けられたストッパー（３１０）を有するピストン棒（３００）と、
前記挿入孔（２１０）の直径と同一またはそれより大きく設けられて前記ピストン棒（３００）の下部に取り付けられ、下部には圧力によって内容物が流入するようにするチェックバルブ（４１０）を有するディスペンサー（４００）と、
前記ピストン棒（３００）の上部に被せられ、内容物を排出するための吐出孔（５１０）を有するキャップ（５００）とを含んでなることを特徴とする、ポンピング式化粧品容器。
【請求項２】
前記吐出孔（５１０）は、内容物が水平方向に吐き出されるように形成されることを特徴とする、請求項１に記載のポンピング式化粧品容器。
【請求項３】
前記ピストン棒（３００）と前記ディスペンサー（４００）は、垂直方向に所定の間隔で離隔していることにより、吐き出された内容物が再吸入されることを特徴とする、請求項１に記載のポンピング式化粧品容器。
【請求項４】
前記固定具（２００）と前記ストッパー（３１０）との間に設けられるバネ（６００）をさらに含むことを特徴とする、請求項１に記載のポンピング式化粧品容器。
【発明の詳細な説明】
【技術分野】
【０００１】
本発明は、ポンピング式化粧品容器に係り、さらに詳しくは、化粧品容器のボタンを押圧するだけで、ボタンの上部に設けられた吐出孔を介して内容物が定量噴射されるため、皮膚に直接使用することが可能なポンピング式化粧品容器に関する。
【背景技術】
【０００２】
一般に、化粧品容器には各種内容物（スキンローション、エマルジョンローション、アイクリームなど）が収容されており、これらを使用者が使用するときは化粧品容器をひっくり返して内容物を吐き出させなければならない。
ところが、前述したように内容物を吐き出させて使用すると、内容物（スキンローション、エマルジョンローション、アイクリームなど）を定量吐き出させて使用することが難しいうえ、内容物が微量しか残っていないときには内容物の残量を吐き出させて使用することが難しいという問題点があった。
一方、かかる問題点を克服するために多様なポンピング式化粧品容器が提案されている。ところが、このようなポンピング式化粧品容器は、吐き出された内容物の残量がノズルの先端に残留して固まることにより、ノズルの入り口が詰まってしまうという問題点があった。
【発明の概要】
【発明が解決しようとする課題】
【０００３】
そこで、本発明は、上述した問題点を解決するためのもので、その目的とするところは、化粧品容器のボタンを押圧するだけで、ボタンの上部に設けられた吐出孔を介して内容物が定量噴射されるため、皮膚に直接使用することが可能なポンピング式化粧品容器を提供することにある。
【０００４】
本発明の他の目的は、吐出孔の先端に内容物が残留しないため、内容物が吐出孔から流下せず、内容物が吐出孔の先端に固まることもないポンピング式化粧品容器を提供することにある。
【課題を解決するための手段】
【０００５】
上記目的を達成するために、本発明のある観点によれば、下部にスクレーパーが設置され、内容物が貯蔵される貯蔵容器と、前記貯蔵容器の上部に嵌挿され、中心部には垂直に貫設された挿入孔を有する固定具と、前記挿入孔に嵌挿され、上部には前記挿入孔の直径と同一またはそれより大きく設けられたストッパーを有するピストン棒と、前記挿入孔の直径と同一またはそれより大きく設けられて前記ピストン棒の下部に取り付けられ、下部には圧力によって内容物が流入するようにするチェックバルブを有するディスペンサーと、前記ピストン棒の上部に被せられ、内容物を排出するための吐出孔を有するキャップとを含んでなる、ポンピング式化粧品容器を提供する。
また、前記吐出孔は、内容物が水平方向に吐き出されるように形成されることを特徴とする。
また、前記ピストン棒と前記ディスペンサーは、垂直方向に所定の間隔で離隔していることにより、吐き出された内容物が再吸入されることを特徴とする。
また、前記固定具と前記ストッパーとの間に設けられるバネをさらに含むことを特徴とする。
【発明の効果】
【０００６】
上述したように、本発明によれば、化粧品容器のボタンを押圧するだけで、ボタンの上部に設けられた吐出孔を介して内容物が定量噴射されるため、皮膚に直接使用することができるという利点がある。
また、本発明によれば、吐出孔の先端に内容物が残留しないため、内容物が吐出孔から流下せず、内容物が吐出孔の先端に固まらないという利点がある。
【図面の簡単な説明】
【０００７】
【図１】本発明の好適な実施例に係るポンピング式化粧品容器の正面図である。
【図２】本発明の好適な実施例に係るポンピング式化粧品容器の側断面図である。
【図３】本発明の好適な実施例に係るポンピング式化粧品容器の部分拡大図である。
【図４】本発明の好適な実施例に係るポンピング式化粧品容器の使用状態図である。
【図５】本発明の好適な実施例に係るポンピング式化粧品容器のボタンを加圧した状態を示す使用状態図である。
【図６】本発明の好適な実施例に係るポンピング式化粧品容器のボタンの加圧を解除した状態を示す使用状態図である。
【図７】本発明の好適な実施例に係るポンピング式化粧品容器の内容物の残量が再吸入される状態を示す使用状態図である。
【発明を実施するための形態】
【０００８】
以下に添付図面を参照しながら、本発明の好適な実施の形態について詳細に説明する。なお、各図面に提示された同一の参照符号は同一の部材を示す。
【０００９】
図１は本発明の好適な実施例に係るポンピング式化粧品容器の正面図、図２は本発明の好適な実施例に係るポンピング式化粧品容器の側断面図、図３は本発明の好適な実施例に係るポンピング式化粧品容器の部分拡大図である。図１〜図３に示すように、本発明の好適な実施例に係るポンピング式化粧品容器は、貯蔵容器１００、固定具２００、ピストン棒３００、ディスペンサー４００およびキャップ５００を含み、バネ６００をさらに含んでなる。 
貯蔵容器１００は、内部に内容物（スキンローション、エマルジョンローション、アイクリームなど）が収容される。図４を参照すると、前記貯蔵容器１００の下部にはスクレーパー１１０が設置される。前記スクレーパー１１０は、使用者が内容物を一定量使用するにつれて、使用された内容物の体積分だけ圧縮されて前記貯蔵容器１００の上部へ上昇していく。よって、使用者は、前記貯蔵容器１００の内部に保管された内容物が微量残っているときでも不便なく内容物を使用することができる。
固定具２００は、前記貯蔵容器１００の上部に嵌挿され、中心部には挿入孔２１０が垂直に貫設されている。内容物を使用しないときは、前記固定具２００に蓋１０を被せて保管することもできる。前記固定具２００は、前記貯蔵容器１００の内部に貯蔵された内容物を密閉させる。前記挿入孔２１０には後述のピストン棒３００が嵌挿される。
ピストン棒３００は前記挿入孔２１０に嵌挿され、前記ピストン棒３００の直径は前記貯蔵容器１００の内部に貯蔵された内容物が排出されないように前記挿入孔２１０の直径と同一である。前記ピストン棒３００の上部には前記挿入孔２１０の直径と同一またはそれより大きいストッパー３１０が設けられるが、前記ストッパー３１０は、前記ピストン棒３００が前記挿入孔２１０を通過して前記貯蔵容器１００の内部へ離脱することを防止する。また、前記ピストン棒３００の上部には後述のキャップ５００が被せられる。使用者は前記キャップ５００を押して前記ピストン棒３００を下方に加圧する。
一方、前記ストッパー３１０と前記ピストン棒３００との間には、バネ６００が設けられてもよい。前記バネ６００は、前記ピストン棒３００が加圧されて下降した後に、前記バネ６００の復元力によってさらに前記ピストン棒３００を上昇させる。
ディスペンサー４００は、前記挿入孔２１０の直径と同一またはそれより大きく設けられ、前記ピストン棒３００の下部に取り付けられる。よって、前記ディスペンサー４００は、前記ピストン棒３００が前記挿入孔２１０の上部から離脱することを防止する。また、前記ディスペンサー４００の下部にはチェックバルブ４１０が設置される。前記チェックバルブ４１０に圧力が加えられると、内容物が前記ディスペンサー４００の内部に流入する。このように流入した内容物は前記ピストン棒３００を経て後述の吐出孔５１０から外部へ吐き出される。
キャップ５００は、前記ピストン棒３００の上部に被せられ、内部が前記ピストン棒３００の中心孔に連通している。前記キャップ５００には内容物を排出するための吐出孔５１０が設けられているが、前述したように、使用者が前記キャップ５００を押圧すると、前記ピストン棒３００と共に、前記ピストン棒３００の下部に取り付けられている前記ディスペンサー４００が下降する。内容物で充填されている前記貯蔵容器１００の内部では、前記ディスペンサー４００が下降した体積分だけ前記チェックバルブ４１０が加圧され、これにより、内容物が前記ピストン棒３００に沿って前記吐き出し孔５１０から吐き出される。
以下、図５ａ〜図５ｃを参照して本発明の好適な実施例に係るポンピング式化粧品容器の使用状態について説明する。
図５ａを参照すると、使用者が前記ボタン５００を押圧すると、前記ボタン５００に沿って前記ピストン棒３００と前記ディスペンサー４００が下降する。この際、前記ディスペンサー４００が下降した体積分だけ内容物が前記チェックバルブ４１０を加圧するため、前記ディスペンサー４００の内部へ内容物が流入して前記吐き出し孔５１０から排出される。よって、本発明のポンピング式化粧品容器は、前記ボタン５００を押圧するだけで内容物が吐き出されるため、目もとに塗るアイクリーム用の貯蔵容器に向いている。
次に、図５ｂを参照すると、前記バネ６００の復元力によって前記ピストン棒３００は上部に上昇する。前記貯蔵容器１００は、密閉状態なので、前記ディスペンサー４００が下降したときの体積分だけ前記スクレーパー１１０が上昇する。よって、貯蔵容器１００の内部は常に密閉状態を保持するうえ、内容物の残量が残っても最後まで内容物を使い尽くすことができる。
次に、図５ｃを参照すると、前記ピストン棒３００と前記ディスペンサー４００は垂直方向に所定の間隔で離隔している。前記固定具２００によって前記ディスペンサー４００の上昇が止まった後でも、前記ピストン棒３００は前記ディスペンサー４００から離れている所定の間隔分だけさらに上昇する。よって、前記ディスペンサー４００の内部は前記チェックバルブ４１０によって遮断されているため、前記ボタン５００の内部に位置した内容物は前記ピストン棒３００と前記ディスペンサー４００との離隔間隔分だけ再吸入されることが本発明の特徴である。
図面と明細書には最適の実施例が開示されている。ここで、特定の用語が使用されたが、これは本発明を説明するために使用されたもので、意味を限定し或いは特許請求の範囲に記載された本発明の範囲を制限するために使用されたものではない。当該技術分野における通常の知識を有する者であれば、特許請求の範囲に記載された範疇内において、各種の変更例または修正例に想到し得ることを理解するであろう。よって、本発明の真正な技術的保護範囲は特許請求の範囲の技術的思想によって定められるべきであろう。
【符号の説明】
【００１０】
１００    貯蔵容器
１１０    スクレーパー
２００    固定具
２１０    挿入孔
３００    ピストン棒
３１０    ストッパー
４００    ディスペンサー
４１０    チェックバルブ
５００    キャップ
６００    バネ
【図１】
2011517588.tif 000003
【図２】
2011517588.tif 000004
【図３】
2011517588.tif 000005
【図４】
2011517588.tif 000006
【図５】
2011517588.tif 000007
【図６】
2011517588.tif 000008
【図７】
2011517588.tif 000009
【国際調査報告】
2011517588.tif 000010
2011517588.tif 000011